(57)【要約】 【課題】  カラオケのリモコンとして動作する顧客の多機能携帯端末を、顧客の入店から退出までの間の利用単位（セッション単位）のみで利用できるようにし、セッション中の利用者追加時にカラオケを中断させないようにする。【解決手段】  セッションＩＤを含むカラオケ識別情報に基づき、顧客の多機能携帯端末とカラオケ装置との接続許可を確立し、許可確立時のセッションＩＤが有効な間、接続許可を維持するネットワークカラオケシステムにおいて、セッションＩＤを含むペアリング情報を発信する伝達手段をカラオケ装置とネットワークを経由して接続された印字手段とした。【選択図】図１
2015064507.tif 000002
【特許請求の範囲】
【請求項１】
それぞれに表示装置が接続された複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムであって、
個々の前記カラオケ装置の利用単位を特定するセッションＩＤを更新・発行する切替指示受付手段を有し、
当該カラオケ装置を特定するためのカラオケ装置ＩＤと当該カラオケ装置におけるその時点で有効なセッションＩＤを含むカラオケ識別情報を出力する、カラオケ装置の映像出力端子に接続された表示装置、及び、既に当該セッションＩＤを取得済のリモコン端末装置、以外の出力手段を有することを特徴とするネットワークカラオケシステム。
【請求項２】
前記出力手段は、使用するカラオケルーム情報、当該カラオケルームと当該カラオケ装置の利用開始時間及び／又は利用限度時間を特定する情報及び、カラオケ識別情報を出力することを特徴とする前記請求項１記載のネットワークカラオケシステム。
【請求項３】
前記カラオケ識別情報は少なくとも機械読み取りコードで出力されることを特徴とする前記請求項１乃至２記載のネットワークカラオケシステム。
【請求項４】
前記出力手段は、プリンターに印字することを特徴とする前記請求項１乃至３記載のネットワークカラオケシステム。
【請求項５】
前記プリンターが印字する対象は、カラオケルーム利用開始時に利用者に対して発行されるカラオケルーム利用伝票であることを特徴とする前記請求項４記載のネットワークカラオケシステム。
【請求項６】
前記出力手段は、カラオケ装置に内蔵される表示手段であることを特徴とする前記請求項１乃至３記載のネットワークカラオケシステム。
【発明の詳細な説明】
【技術分野】
【０００１】
カラオケのリモコンとして動作する顧客の多機能携帯端末とカラオケ装置との間のペアリングを、顧客の入店から退出までの間の利用単位（セッション単位）のみで利用できるネットワークシステムに関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
また、通常カラオケルームには、リモコンが少数しかないのが一般的であり、他の人が選曲している間は、リモコンが使用できないという不便さがあった。
【０００４】
また、店に設置してあるリモコンは様々な人が操作するため、必ずしも清潔とはいえないという一面もあった。
【０００５】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００６】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００７】
そこで、顧客の多機能携帯端末等をカラオケのリモコンとして使用する方法について各社から提案されている他、本出願人からもその具体的方法に関して出願されている。（非特許文献１及び２及び特許文献１乃至３参照）
【０００８】
しかし、ここで顧客が所有する携帯端末を近距離無線方式によりカラオケのリモコンとして使用させた場合、他の部屋のカラオケ機器を制御してしまわないように、顧客の携帯電話が制御できるカラオケ機器を特定しておく必要がある。
また、たとえばその顧客の使用時間終了後などに店外から携帯電話を操作することにより、店内のカラオケ装置を制御されてしまう虞がある。（図３参照）
【先行技術文献】
【特許文献】
【０００９】
【特許文献１】特開２０１３−１１４０１２号公報
【特許文献２】特願２０１２−２２６２００号
【特許文献３】特願２０１３−１８８９５３号
【非特許文献】
【００１０】
【非特許文献１】iPhone アプリ「デンモクmini」（第一興商）カスタマーレビュー(iTunes →iTunes Store →AppStore →エンターテインメント)
【非特許文献２】iPhone アプリ「デンモクmini」（第一興商）「ＤＡＭとつなぐ」操作方法について
【発明の概要】
【発明が解決しようとする課題】
【００１１】
特許文献１は、選曲予約許可判定手段を備えて、パーソナル携帯端末を使用した選曲予約に制限時間を設け、選曲予約許可条件として、ペアリング指示時刻から第１所定時間が経過するまでの第１許可条件（最長制限時間）と、選曲予約情報を受信した時刻が、前回の選曲予約情報の受信時刻から第２所定時間以内であるという第２選曲予約許可条件とを設ける。第１及び第２選曲予約許可条件を満足した場合に、当該選曲予約情報に基づく選曲予約を許可し、第２所定時間は、同一のカラオケ演奏端末と同時にペアリングが行われているパーソナル携帯端末の数に応じて増減させるというものである。非特許文献１は、この特許文献４の実施において、Apple社のApp Storeに登録されているiPhoneアプリ「デンモクmini」のカスタマーレビューである。iPhone用のアプリ「デンモクmini」により、iPhoneをカラオケのリモコンとして利用できる。しかし、このカスタマーレビューによると、接続後15分経過するとタイムアウトで切断されることが不評である。接続の解除を15分というタイミングで行っているものと思われる。
【００１２】
また、非特許文献２は、上記アプリで多機能携帯端末をカラオケ装置とペアリングする方法を説明するものである。これによると、特定のリクエスト番号をカラオケ機器本体、あるいは専用リモコンで楽曲予約と同様に予約入力することで、ペアリングに必要な情報をカラオケ装置に接続された表示装置に表示させ、これを多機能携帯端末で読み取ることでペアリングが実現することとなっている。既に予約が複数入っている場合には、予約曲が全て演奏されたのちに表示されることになり、その間はペアリングが実現しないこととなる。あるいは、すぐに画面にペアリング情報を表示するためには、現在演奏中のカラオケを中断し、割り込み予約をして表示させることとなり、いずれにせよ、カラオケの楽しみを阻害する要素が含まれることとなる。
【００１３】
特許文献２は、カラオケ装置と多機能携帯端末のペアリングをセッションに対応づけて実現する方法に関するものである。これによると、ペアリング情報の表示に予約の手順を踏まないものの、カラオケ端末に接続された表示装置にペアリング情報を表示する点では非特許文献２の事例と同様であり、さらにペアリング情報を表示するタイミングとして、セッションを更新した直後を想定しており、表示のためにはそれまでに予約されている予約情報なども消去される仕様となっている。
【００１４】
特許文献３は、特許文献２での課題を解消する方法として、既にペアリング済の多機能携帯端末から、ペアリングに必要な情報を取得する方法に関するものである。運用上の課題は概ね解消されているようではあるが、実際には、ペアリング済の多機能携帯端末の所有者が歌唱中であることも想定され、ペアリング情報を取得しようとする利用者としては、やはり歌唱の終了までペアリング情報の取得を待つ必要がある。
【００１５】
カラオケのリモコンとして動作する顧客の多機能携帯端末等とカラオケ装置との間のペアリングを、顧客の入室から退室までの間の利用単位（セッション単位）で利用できるようにして、ネットワーク管理を推進しようとしたが、カラオケ利用者は、必ずしも一度に集合せず、後から何名かが合流することがある。また、特に多機能携帯端末が何らかの障害で一旦ペアリングが解除されることがある。その際、再度ペアリング処理を実行しなければならない。
【００１６】
その際、カラオケ演奏を一旦中断して、表示装置にＱＲコード（登録商標）を再度表示させて、随時ペアリング処理を実行することは、サービス業の運用上好ましくない。
また、既ペアリング済の多機能携帯端末からペアリング情報を取得する場合であっても、ペアリング済の多機能携帯端末の所有者に、情報を表示させる手間が発生し、該当者が歌唱中の場合などはこれを待つ必要がある。
【００１７】
本発明は、これらの点に鑑み、カラオケのリモコンとして動作する顧客の多機能携帯端末等とカラオケ装置との間のペアリングを、顧客の入室から退室までの間の利用単位（セッション単位）で利用でき、さらにカラオケ演奏中であっても、カラオケ演奏の邪魔をすることなく途中参加者の多機能携帯端末をカラオケのリモコンとして速やかに使えるようにするネットワークカラオケシステムを提案することを目的とする。
【課題を解決するための手段】
【００１８】
上記目的を達成するため本発明の請求項１は、ネットワークカラオケシステムにおいて、複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムであって、
セッションＩＤを更新・発行する切替指示受付手段を有し、
当該カラオケ装置を特定するためのカラオケ装置ＩＤと当該カラオケ装置におけるその時点で有効なセッションＩＤを含むカラオケ識別情報を出力する、カラオケ装置の映像出力端子に接続された表示装置、及び、既に当該セッションのＩＤを取得済のリモコン端末装置、以外の出力手段を有してなるものである。
【００１９】
また、請求項２は、出力手段が、使用するカラオケルーム情報、当該カラオケルームと当該カラオケ装置の利用開始時間及び／又は利用限度時間を特定する情報及び、利用可能なセッションＩＤを含むカラオケ識別情報を出力するようにしたものである。
【００２０】
さらに請求項３では、セッションＩＤ、カラオケ識別情報は少なくとも機械読み取りコード、例えばＱＲコード（登録商標）で出力されるようにした。
【００２１】
請求項４は、出力手段として、受付に設置されたプリンターで印字するようにしたものである。
【００２２】
請求項５は、請求項４において、プリンターの印字先がカラオケルーム利用伝票であることを特徴としている。
【００２３】
請求項６は、出力手段をカラオケ装置本体に内蔵した表示手段で構成したものである。
【００２４】
いずれの場合も、顧客のカラオケ利用終了後は、切替指示受付手段によりペアリングを解除して、顧客の多機能携帯端末等から店のカラオケ装置を制御することを不可能にできる。
【発明の効果】
【００２５】
本発明によると、顧客がカラオケ店入店時に、自分の多機能携帯端末等を特定のカラオケ装置のリモコン装置として使えるようになり、入店から退出まで一貫して利用できる。
その後カラオケ利用終了時には、リモコン装置としての機能は終了し、それ以後は顧客の多機能携帯端末等からはカラオケ装置の制御ができなくなるというものであり、またセッション開始後であっても、カラオケルーム利用伝票上のペアリングに必要な情報を読み取ることで、カラオケ演奏を中断することなく、随時同一セッションに利用者が追加できるようになる。
【図面の簡単な説明】
【００２６】
【図１】本発明の一実施例を示すネットワーク接続を示す説明図。
【図２】本発明の一実施例を示す運用フローを示す説明図。
【図３】短距離無線通信手段によるネットワークを説明する概念説明図。
【発明を実施するための形態】
【００２７】
本発明では、カラオケ装置１のリモコンとなる多機能携帯端末４による制御を利用単位で許可するためのセッションＩＤを更新・発行する切替受付手段が設けられている。
この切替受付手段は、カラオケ装置１本体の前面にリセットボタン３として設けられ、このリセットボタン３を押すごとに、使用していたセッションＩＤが無効になり新たなセッションＩＤが発行されるようになっている。
【００２８】
次に図１のネットワーク接続図によって、本発明の多機能携帯端末４とカラオケ装置１の接続技術を説明する。
店舗内にはセンターからの通信回線と接続するルータ５があり、ルータ５にはアクセスポイント８を経由して無線の受付端末装置２と、カラオケルーム１２のカラオケ装置１が接続されている。またリモコンとなる多機能携帯端末４がアクセスポイント９を経由してルータ５に接続されている。
顧客はカラオケ利用開始時に、セッションＩＤを含むカラオケ識別情報を受け取り自ら保有する多機能携帯電話４に読み込ませる。その上で顧客は、自分の多機能携帯端末４と当該カラオケ装置１との間でペアリングを行い、当該多機能携帯端末４は当該カラオケ装置１専用のリモコン装置となり、当該カラオケ装置１を制御できるようになる。
カラオケの利用が終了したときには、店員はカラオケルームのカラオケ装置１または受付端末装置２を操作し、セッションを更新することにより、顧客の多機能携帯端末４とカラオケ装置１とのペアリングは解消され、もはや顧客の多機能携帯端末４では、店のカラオケ装置１を制御できなくなる。
【００２９】
特に、本発明では受付端末装置２に接続された印字装置１３が設けられ、これから使用するカラオケ装置１とネットワークを通じて接続されて、セッションＩＤに基づくコード情報をＱＲコード（登録商標）で印字できるようになっている。
【００３０】
用紙１４は、カラオケルーム利用伝票であってもよく、用紙１４をカラオケルーム１２の使用中に所持していることによって、カラオケ装置１での歌唱が始まってしまった後であっても、歌唱を妨げず、ペアリングをしていないリモコン装置（多機能携帯端末４）がこの用紙１４から、ペアリング情報をいつでも取得できる。
【００３１】
次に図２で、運用フローを示す説明図に基づいて本発明のネットワークカラオケシステムにおけるカラオケ装置１の利用状態を説明する。
（１）カラオケ店開店時、カラオケ装置の電源が投入される。
（２）セッションＩＤが生成され、顧客の入店を待つ初期状態となる。
（３）顧客によるカラオケ装置１の利用が開始される際に、顧客が使用する「セッションＩＤ」［カラオケ識別情報］が通知される。これはたとえばカラオケルーム利用伝票に印字されたＱＲコード（登録商標）のような形で伝達される。
（４）顧客は自分の多機能携帯端末４のカメラ機能などでＱＲコード（登録商標）等を撮影し使用するカラオケ装置１の情報を受け取る。
（５）顧客は自分の多機能携帯端末４を操作することにより、多機能携帯端末４とカラオケ装置１とのペアリングを実施し、カラオケ装置１と顧客の多機能携帯端末４が紐付く。
（６）ペアリングの完了により、顧客の多機能携帯端末４を一時的に割り当てられたカラオケ装置１の専用リモコンとすることができ、カラオケ装置１の利用が可能となる。
（７）顧客のカラオケ装置１の利用が終了し、退室する。
（８）閉店の場合はここでカラオケ装置１の電源をオフにする。
（９）閉店でない場合はカラオケ装置１のリセットボタン３を押してリセット操作を行う。
（１０）リセット操作によりセッションが終了（セッションＩＤは無効にされる）し、同時に顧客の多機能携帯端末４とカラオケ装置１とのペアリングは解除され、これ以降は顧客の多機能携帯端末４ではカラオケ装置１の操作は不可能となり、また、新たなセッションＩＤが生成され、次の顧客入室を待機する初期状態となる。
【００３２】
尚、上述の実施例において、切替受付手段は、カラオケ装置１本体の前面にリセットボタン３としてのスイッチが設けられ、このリセットボタン３を押す毎に、更新・発行するようにしていたが、顧客が受付から退場する際、顧客が使用していたカラオケ装置１に受付端末装置２からネットワークを経由して前記切替受付手段を駆動させるようにしても良い。
【００３３】
また、セッションＩＤを含むカラオケ識別情報の伝達手段は、受付に設置された印字装置１３により印刷された用紙１４である以外に、利用を予定するカラオケ装置１に接続された表示装置６に機械読み取り用のコード情報を出力する、あるいはネットワークを経由して受付端末装置２に表示してもよく、これにより顧客が多機能携帯端末４にあらかじめ設けられている公知の各種のバーコード読み取り装置で読み取る機会を多様化することができる。
【００３４】
請求項６による実施例を説明すると、通常カラオケは、カラオケ装置１の映像出力端子に接続された大画面の表示装置６で背景映像や歌詞などを表示して演奏するようになっている。そこで、カラオケ演奏を妨げないように、カラオケに内蔵する表示手段に、随時必要なタイミングで、有効なセッションＩＤを含むカラオケ識別情報を出力するようにしてもよい。
【００３５】
この表示手段で表示するカラオケ識別情報としては、ＱＲコード（登録商標）などの機械読み取り用のコード情報が表示される。
【産業上の利用可能性】
【００３６】
カラオケの利用に際して、特定のカラオケ装置の利用単位毎に個別のセッションＩＤが発行され、ペアリングを制御するので、確実に機器の制御が行え、誤って、あるいは故意に接続するべきカラオケ装置以外のカラオケ装置を制御することがなく、また対象のカラオケ装置であっても正規の利用単位が終了した後には制御することができずセキュリティも確実に保たれる上、ペアリングのためのセッションＩＤ情報をネットワークカラオケシステムによる印字手段やカラオケルーム利用伝票、あるいは、カラオケ装置に内蔵された表示手段によって提供されるので、カラオケ開始後であってもカラオケを中断することなく同一セッションへの利用者追加が容易に行える。
【符号の説明】
【００３７】
１…カラオケ装置
２…受付端末装置
３…リセットボタン
４…多機能携帯端末
５…ルータ
６…表示装置
７…ハブ
８…アクセスポイント
９…アクセスポイント
１１…店舗
１２…カラオケルーム
１３…印字装置
１４…用紙
【図１】
2015064507.tif 000003
【図２】
2015064507.tif 000004
【図３】
2015064507.tif 000005